(57)【要約】【課題】水密性のある嵌合部を必要とせず簡単な構造で給排水を行い、且つ、夫々の給俳排水口からの水垂れ時も床面に落下しない給排水構造を有する移動型食器洗浄乾燥機を得る。【解決手段】内部に洗浄手段、背面に本体給電部１６、上部に開口部を有する本体給水口１２及び本体排水口１５を備え、移動可能な本体６と、躯体１の壁面１ａに、電源プラグ５、給水管２及びこの給水管２の略垂下位置に開口部を有するシンク状排水管４と、を備え、本体６が壁面１ａに移動したとき、本体給電部１６が電源プラグ５に接続されるとともに、本体給水口１２が給水管２の直下に、排水口１５がシンク状排水口４の直上になるようにそれぞれ配設した。【選択図】図２
2006043123.tif 000002
【特許請求の範囲】
【請求項１】
食器の洗浄および乾燥を行い、移動可能な食器洗浄乾燥機本体と、
この食器洗浄乾燥機本体が着脱可能に接続される躯体壁面と、を備え、
前記躯体壁面には、前記食器洗浄乾燥機本体へ電力を供給する電源プラグ、前記食器洗浄乾燥機本体への給水する給水部、前記食器洗浄乾燥機本体からの信号により前記給水部を開閉する電磁弁、前記食器洗浄乾燥機本体からの排水を受ける排水部を有し、
前記食器洗浄乾燥機本体一側面には、前記食器洗浄乾燥機本体と前記躯体壁面との接続時に前記電源プラグと電気的に接続される本体給電部、前記給水部からの水を受ける本体給水口、前記排水部へ水を排水する本体排水口とを備えたことを特徴とする移動型食器洗浄乾燥機。
【請求項２】
前記食器洗浄乾燥機本体と前記躯体壁面との接続時には、前記本体給水口が前記給水部の直下に配置され、かつ、前記本体排水口は前記排水口の直上に配置され、前記食器洗浄乾燥機本体と前記躯体壁面との分離時には、前記給水部が前記排水部の直上に配置されることを特徴とする請求項１記載の移動型食器洗浄乾燥機。
【請求項３】
前記食器洗浄乾燥機本体と前記躯体壁面との接続時に、前記電源プラグと前記本体給電部が接続されて前記本体に通電されたことを点灯表示する通電ランプを前記食器洗浄乾燥機本体に備えたことを特徴とする請求項１または２記載の移動型食器洗浄乾燥機。
【請求項４】
前記躯体壁面の前記給水管に設けられた電磁弁と、
前記食器洗浄乾燥機本体を前記躯体壁面内に装着して、前記電源プラグと前記本体給電部が接続されたときに作動する給水安全装置を備え、この給水安全装置と前記電磁弁の両方が作動するときに給水されるようにしたことを特徴とする請求項１〜３のいずれかに記載の移動型食器洗浄乾燥機。
【請求項５】
前記給水安全装置は、前記食器洗浄乾燥機本体と前記躯体壁面の距離を検知する距離センサを備え、前記距離センサで検知された距離が前記電源プラグと前記本体給電部が接続される距離となったとき前記電磁弁を作動させるようにしたことを特徴とする請求項４記載の移動型食器洗浄乾燥機。
【請求項６】
前記給水安全装置は、前記給水管の先端に蛇腹押圧弁を備え、前記電源プラグと前記本体給電部が接続されたときに前記蛇腹押圧弁が押圧されて弁が開くとともに前記電磁弁も開くようにしたことを特徴とする請求項４記載の移動型食器洗浄乾燥機。
【請求項７】
前記食器洗浄乾燥機本体を躯体内に装着して運転中に、前記躯体壁面の壁面と前記食器洗浄乾燥機本体が外れないようにするロック機構を設けたことを特徴とする請求項１〜６のいずれかに記載の移動型食器洗浄乾燥機。
【請求項８】
前記本体給水口の流路内に、前記給水管からの給水時は開、洗浄時は閉のシャッターを設けたことを特徴とする請求項１〜７のいずれかに記載の移動型食器洗浄乾燥機。
【請求項９】
前記本体排水口からの水垂を受ける着脱自在な水受け部を設け、この水受け部を、前記食器洗浄乾燥機本体を躯体から引き出したときは、前記本体排水口の直下に位置させ、前記食器洗浄乾燥機本体を前記躯体壁面に装着したときは、前記食器洗浄乾燥機本体側に退かせる移動機構を備えたことを特徴とする請求項１〜８のいずれかに記載の移動型食器洗浄乾燥機。
【請求項１０】
前記食器洗浄乾燥機本体と前記躯体壁面の前記壁面の接続時に、前記水受け部を下向きに回転させる回転手段を備え、前記水受け部内の水をシンク状排水口に送り出すようにしたとを特徴とする請求項９記載の移動型食器洗浄乾燥機。
【請求項１１】
前記本体排水口は、回転自在に前記食器洗浄乾燥機本体に設けられ、前記食器洗浄乾燥機本体を前記躯体壁面から引き出したときは、前記本体排水口が上を向かせ、前記食器洗浄乾燥機本体を前記躯体壁面に装着したときは、下を向かせる回転機構を備え、
たことを特徴とする請求項１〜１０のいずれかに記載の移動型食器洗浄乾燥機。
【請求項１２】
前記本体排水口に設けられた排水口蓋と、
前記食器洗浄乾燥機本体を前記躯体壁面に装着したときに、前記排水口蓋を開放させ排水口蓋内の水をシンク状排水口に捨てさせる排水口蓋開放機構と、
を備えたことを特徴とする請求項１〜１０のいずれかに記載の移動型食器洗浄乾燥機。
【請求項１３】
前記食器洗浄乾燥機本体の上部は略フラットなワ−クトップ台で、且つ、開閉自在に構成されることを特徴とする請求項１〜１２のいずれかに記載の移動型食器洗浄乾燥機。
【請求項１４】
前記食器洗浄乾燥機本体上部は開口し、前記躯体壁面の上壁の下面に、前記食器洗浄乾燥機本体を前記躯体壁面内に装着したときに、前記食器洗浄乾燥機本体の開口部をシールするシールパッキンを備えたことを特徴とする請求項１〜１３のいずれかに記載の移動型食器洗浄乾燥機。
【請求項１５】
内部に洗浄手段、背面に本体給電部、上部に開口部を有する本体給水口及び本体排水口、下部に車輪を備えた移動可能な本体と、
電源プラグ、給水管及びこの給水管の略垂下位置に開口部を有するシンク状排水口を設け壁面に据付けられるユニット部と、
前記食器洗浄乾燥機本体が前記壁面に据付けられた前記ユニット部に移動したとき、前記本体給電部が前記電源プラグに接続されるとともに、前記本体給水口が前記給水管の直下に、前記排水口が前記シンク状排水口の直上になるように前記車輪をガイドし、床面に据付けらるガイドレールと、
を備えたことを特徴とする移動型食器洗浄乾燥機。
【請求項１６】
前記食器洗浄乾燥機本体の背面の少なくとも両側のコーナー部をＲ形状としたことを特徴とする請求項１〜１５のいずれかに記載の移動型食器洗浄乾燥機。
【請求項１７】
前記本体背面を覆うカバーを備え、前記カバーは、少なくとも前記本体給水口と前記本体排水口の位置する部分が開閉可能としたことを特徴とする請求項１〜１６のいずれかに記載の移動型食器洗浄乾燥機。
【請求項１８】
前記食器洗浄乾燥機本体背面および側面に設けられ、本体を躯体との脱着時には前記躯体壁面と接触するバンパーを備えたことを特徴とする請求項１〜１７のいずれかに記載の移動型食器洗浄乾燥機。
【発明の詳細な説明】
【技術分野】
【０００１】
この発明は、車輪等により走行移動可能な移動型食器洗浄乾燥機に関する。
【背景技術】
【０００２】
従来の移動型食器洗浄乾燥機においては、本体の底面に車軸を設けて走行可能に構成し、同本体一側面に給水用接続口、排水用接続口、電源接続プラグを配設し、これらを壁面に設置した電源コンセント、給水用配管口、排水用配管口に対して夫々着脱可能に接続したものがある（例えは、特許文献１参照）。
【０００３】
【特許文献１】特開平８−２２４２００号公報（第４−５頁、図２）
【発明の開示】
【発明が解決しようとする課題】
【０００４】
従来の移動型食器洗浄乾燥機では、本体側に設けた給水用接続口、排水用接続口、電源接続プラグを、建築躯体の壁面に設けた電源コンセント、給水用配管口、排水用配管口に対してワンタッチカプラを用いて夫々着脱可能となるよう接続している。しかしながら、ワンタッチカプラは給排水配管内に水道圧が加わるために、強固な水密機構を有し、着脱嵌合部にロック機構が必要であり、複雑で高価な部材を使用せざるを得ない構造であった。また、嵌合部の着脱時には使用者に必要とされる操作力が大きく、操作性に問題があった。
さらに、着脱の繰り返しによりワンタッチカプラの嵌合部が緩くなり水漏れの懸念があると同時に、給排水管の脱時（切り離し時）に夫々の給排水口から水垂れが発生し、床に落ちて床を汚すと共に傷み易くするという問題点もあった。
【０００５】
この発明は、上記のよう課題を解決するためになされたもので、水密性のある嵌合部を必要とせず簡単な構造で給排水を行い、且つ、夫々の給排水口からの水垂れ時も床面に落下しない給排水構造を有する移動型食器洗浄乾燥機を得ることを目的とする。
【課題を解決するための手段】
【０００６】
この発明に係る移動型食器洗浄乾燥機は、食器の洗浄および乾燥を行い、移動可能な食器洗浄乾燥機本体と、この食器洗浄乾燥機本体が着脱可能に接続される躯体壁面と、を備え、前記躯体壁面には、前記食器洗浄乾燥機本体へ電力を供給する電源プラグ、前記食器洗浄乾燥機本体への給水する給水部、前記食器洗浄乾燥機本体からの信号により前記給水部を開閉する電磁弁、前記食器洗浄乾燥機本体からの排水を受ける排水部を有し、前記食器洗浄乾燥機本体一側面には、前記食器洗浄乾燥機本体と前記躯体壁面との接続時に前記電源プラグと電気的に接続される本体給電部、前記給水部からの水を受ける本体給水口、前記排水部へ水を排水する本体排水口とを備えたものである。
【発明の効果】
【０００７】
この発明によれば、前記躯体壁面には、前記食器洗浄乾燥機本体へ電力を供給する電源プラグ、前記食器洗浄乾燥機本体への給水する給水部、前記食器洗浄乾燥機本体からの信号により前記給水部を開閉する電磁弁、前記食器洗浄乾燥機本体からの排水を受ける排水部を有し、前記食器洗浄乾燥機本体一側面には、前記食器洗浄乾燥機本体と前記躯体壁面との接続時に前記電源プラグと電気的に接続される本体給電部、前記給水部からの水を受ける本体給水口、前記排水部へ水を排水する本体排水口とを備えたので、水密性のある嵌合部を必要とせず簡単な構造で給排水を行い、移動型食器洗浄乾燥機を得ることができる。
【発明を実施するための最良の形態】
【０００８】
実施の形態１．
図１は、この発明の実施の形態１を示す移動型食器洗浄乾燥機の外観図、図２は移動型食器洗浄乾燥機と移動型食器洗浄乾燥機が収納される建築躯体の断面図、図３〜７は食器の洗浄工程及び水垂れ防止の説明図、図８は移動型食器洗浄乾燥機の使用状態の説明図である。
【０００９】
図１、図２において  建築などの躯体１は壁面１ａ、床１ｂ、ワークトップ１ｃから構成され、壁面１ａの上部には例えば無線信号により制御される電磁弁３を有する給水管２、電源プラグ５が配設され、下部には、給水管２の略垂下位置に開口部を有するシンク状排水管４が配設されている。なお、電源プラグ５は例えばマグネット式である。
移動型食器洗浄乾燥機の本体６の底面には移動用の車輪７、前面には前面カバー８、上面には天板（ワークトップ）１１が設けられ、背面の上部には上向きの開口部にシャッター１３を有する本体給水口１２、本体給電部１６、背面の下部には本体６内のポンプ１４に接続された本体排水口１５が設けられている。そして、前面カバー８の上部には通電ランプ１０や表示部（図示せず）を有する操作パネル９が設けられている。また、この操作パネル９の内側には制御部（図示せず）が設けられている。
また、シャッター１３の回転部にはコイルバネが使用され、水の自重で開く構成であり、給水管２からの給水時は開、洗浄時は閉となる。
【００１０】
本体１内の洗浄槽１９には、食器を保持する洗浄カゴ１７、取り外し可能なコップ棚２０、循環／排水用のポンプ１４、洗浄槽１９の底部に溜まった洗浄水をポンプ１４により噴射する洗浄ノズル１８、洗浄水を加熱するヒーター（図示せず）、乾燥送風ファン（図示せず）が設けられている。
なお、天板１１は、略フラットで、且つ、開閉自在に構成され、ワゴンの台として使用できる。
【００１１】
次に、この発明の実施の形態１を示す移動型食器洗浄乾燥機の動作を図２〜８により説明する。まず、洗浄工程を行う。本体６を躯体１から図２に示すように引き出して、天板１１を開き、食器類を洗浄カゴ１７およびコップ棚２０内にセットして洗浄槽１９内に収納し、図３に示すように本体６を移動して躯体１内に装着する。装着されると、躯体１の壁面１ａの電源プラグ５に本体６の本体の本体給電部１６が接続されて本体６に給電される。本体６に給電されると、本体６の制御部に電源が供給されるとともに、本体６の操作パネル９の通電ランプ１０が点灯し、本体が確実に給電されていることを通知するとともに、本体給水口１２が給水口２の直下に、本体排水口１５がシンク状排水管４の直上になったことを通知する。
【００１２】
このとき、操作パネル９のスタートスイッチ４押下により、制御部は電磁弁３へ無線信号を送信し、電磁弁３を開放させ、給水管２から本体給水口１２に給水を開始させる。本体給水口１２に給水が開始されると本体給水口１２の開口部に設けられたシャッター１３が給水の自重で開き、本体６の洗浄槽１９に給水される。そして、所定量の給水が完了すると、制御部は電磁弁３へ無線信号を送信し、電磁弁３は閉鎖され、給水が無くなるため、自動的にシャッター１３が閉じる。
【００１３】
給水が完了すると、図４に示すように、洗浄工程が開始され、洗浄槽１９の底部に貯留された洗浄水をポンプ１４により洗浄ノズル１８から洗浄カゴ１７内の食器類に向けて噴射する。一定時間洗浄し、洗浄が終了すると、図５に示すように、洗浄槽１９内の汚れた洗浄水をポンプ１４により本体排水口１５から壁面に設けられたシンク状排水管４に排水する。ここで、シャッター１３が閉じることにより、洗浄槽１９からの水跳ねを遮断し、水漏れを防止する。
【００１４】
洗浄工程が終了すると、次にすすぎ工程を行う。制御部は電磁弁３へ無線信号を送信し、電磁弁３を開放させ、給水管２から本体給水口１２に給水をすると、本体給水口１２の開口部に設けられたシャッター１３が開き、洗浄槽１９に給水される。そして、所定量の給水が完了すると、制御部は電磁弁３へ無線信号を送信し、電磁弁３は閉鎖され、給水が無くなるため、自動的にシャッター１３が閉じる。このすすぎ動作は洗浄工程と同様に、給水が終了するとすすぎ動作が開始され、洗浄槽１９の底部に貯留された洗浄水をポンプ１４により洗浄ノズル１８から洗浄カゴ１７内の食器類に向けて噴射する。一定時間すすぎ、すすぎが終了すると、洗浄槽１９内の汚れた洗浄水をポンプ１４により本体排水口１５から壁面に設けられたシンク状排水管４に排水する。このすすぎ工程を所定回数繰り返し、すすぎ工程が終了する。
【００１５】
すすぎ工程が終了すると、次に、乾燥工程を行う。乾燥工程は、洗浄槽１９の底部に設けられたヒーターで洗浄槽１９の空気を加熱すると同時に、乾燥送風ファンで加熱空気を循環させ食器類を乾燥させる。
なお、洗浄工程、すすぎ工程で、洗浄槽１９の底部に設けられたヒーターで洗浄水を加熱し、温水として使用してもよい。
【００１６】
次に、全ての洗浄・すすぎ・乾燥工程が終了すると、図６に示すように本体６を躯体１から引き出す。このとき、躯体１の給水口２から水垂れがあったときは、給水管２の略垂下位置に開口部を有するシンク排水管４に水垂れが受けられ排水される。
【００１７】
次に、図７に示すように、本体６の天板１１を開き洗浄乾燥された食器類を取り出す。
このときも、躯体１の給水口２から水垂れがあったときは、給水管２の略垂下位置に開口部を有するシンク排水管４に水垂れが受けられ排水される。
【００１８】
以上のように、内部に洗浄槽１９に収納された食器類に洗浄ノズルから噴射して前記食器類を洗浄する食器洗浄手段、背面に本体給電部１６、開口部が上向きの本体給水口１２及び本体排水口１５、底面に車輪７を有する移動型食器洗浄乾燥機の本体６を備え、本体６が躯体１の壁面１ａに移動したとき、本体給電部１６が躯体１の壁面１ａに設けられた電源プラグ５に接続されるとともに、本体給水口１２が躯体１の壁面１ａに設けられた給水管２の直下に、本体排水口１５が躯体１の壁面１ａに設けられたシンク状排水管４の直上になるようにそれぞれ配設されたので、嵌合部が不要のため、安価な構成で耐久性が高く、操作性が向上でき、また、床面に水漏れしないようにすることができる。
【００１９】
また、本体６を躯体１内に装着したときに、電源プラグ５と本体給電部１６が接続されて本体６に通電されたことを点灯表示する通電ランプ１０を備えたので、接続状態を簡単に把握でき、例えば本体６を躯体１に装着した時に、外見上は装着されていても、実際には電源プラグ５に本体給電部１６が接続されていない場合には、通電ランプ１０が非点灯であるため、未接続状態を簡単に把握でき、装着し直すという動作に移ることができる。また、給水管２に電磁弁３がなく、蛇口をひねる等により躯体１側の給水を手動で行う場合には、手動で行う前に、通電ランプ１０により、接続状態を明確に把握することにより、誤って未接続状態で蛇口をひねり、水漏れを発生することを防止できる。
また、シャッター１３は、コイルバネにより回転自在に支持され、水の自重で開くので、簡単な構成で使いやすくすることができる。
また、本体６の上部は略フラットなワ−クトップ１１台で、且つ、開閉自在に構成されたので、天板をワゴンとして使用できる。
【００２０】
なお、本実施の形態では、建築物の躯体１に本体６を出し入れする場合について示したが、図８に示すように、流し台に上記躯体１の構成を備え、本体６を出し入れするようにしてもよい。
また、本実施の形態では、無線信号により制御される電磁弁３を用い、制御部からの無線信号により、開閉するものを示したが、制御部からの有線信号により電磁弁３を制御してもよい。
【００２１】
実施の形態２．
本実施の形態は実施の形態１で示した躯体１の給水管に電源プラグ５と本体給電部１６が未接続状態で本体６が稼動するのを防止する安全装置を設けたものである。
図９はこの発明の実施の形態２を示す移動型食器洗浄乾燥機と躯体の断面図である。
図９において、実施の形態１の図２と同一または相当部分には同一の符号を付し説明を省略する。躯体１の壁面１ａには、本体６を躯体内１に装着したときに、電源プラグ５と本体給電部１６が接続されて本体６に通電されときに、電磁弁３を開口可能とする給水安全装置である距離センサ２５が設けられている。
【００２２】
この構成において、本体６を躯体内１に装着して、電源プラグ５と本体給電部１６が接続されるときの距離をあらかじめ定めておく。そして、本体６を躯体内１に装着してたとき、距離センサ２５により検出された距離があらかじめ定められた距離であるときに、制御手段は電磁弁３を開口可能とする信号を送り、電磁弁３を開口させる。
【００２３】
以上のように、電源プラグ５と本体給電部１６の接続状態を検知することにより、電源プラグ５と本体給電部１６が未接続状態で本体６が稼動するのを防止でき、本体給水口が前記給水口の直下に、前記排水口が前記シンク状排水口の直上になり、水漏れをより確実に防ぐことができる。特に、給水部が手動の場合、未接続状態で給水することを防止できる。
【００２４】
実施の形態３．
実施の形態２では、電気的な給水安全装置を示したが、本実施の形態は機械的な給水安全装置としたものである。
図１０はこの発明の実施の形態３を示す給水安全装置である蛇腹押圧弁の構成と動作説明図であり、図１０（ａ）は動作前、（ｂ）は動作時の状態を示す。
図１０において、蛇腹押圧弁２６は吸水管２の先端に接続され、先端に弁が装着される弁座２７ａを有する接続管２７と、この接続管２７の先端に接続され、先端部がＬ形状に屈曲し、下部に開口部を有する蛇腹付きパイプ２８と、接続管２７の弁座２７ａを開閉する弁部２９ａを有し、弁部２９ａから延設され蛇腹付きパイプ２８に挿入された支持棒２９ｂを有する水圧保持式バルブ２９と、水圧保持式バルブ２９の支持棒２９ｂに巻装され、常時水圧保持式バルブ２９の弁を弁座を閉じる方向に付勢するバネ３０から構成される。
【００２５】
この構成において、本体６を躯体内１に装着して、電源プラグ５と本体給電部１６が接続されると、本体６の背面部２１が蛇腹押圧弁２６の蛇腹付きパイプ２８に当接し、蛇腹付きパイプ２８が縮むことにより、水圧保持式バルブ２９が開く。この状態で、電磁弁３が開口すると給水される。
【００２６】
以上のように、電源プラグ５と本体給電部１６が接続されたときに蛇腹押圧弁が押圧されて弁が開くとともに電磁弁も開くようにしたので、電源プラグ５と本体給電部１６が未接続状態で本体６が稼動するのを防止でき、水漏れをより確実に防ぐことができる。また、給水中に本体を抜いた場合に、電磁弁ＯＦＦが遅れても蛇腹押圧弁２６により確実に給水を断することができる。
【００２７】
実施の形態４．
図１１はこの発明の実施の形態４を示す移動型食器洗浄乾燥機の本体を躯体から引き出した状態の断面図、図１２は本体を躯体に装着した状態の断面図である。
図１１、１２において、実施の形態１の図２と同一または相当部分には同一の符号を付し説明を省略する。支持部材軸３１に支持された水受け部支持部材３２が本体排水口１５の直下になるように設け、支持部材軸３１には水受け部支持部材３２を後部方向に常時付勢する水受け部バネ３３が巻装されている。そして、水受け部支持部材３２に水受け槽３４が着脱自在に支持されている。
【００２８】
この構成において、図１１に示すように、水受け槽３４は、本体６を躯体１から引き出したときは、本体排水口１５の直下に位置しており、本体排水口１５からの水垂れを水受け槽３４で受ける。図１２に示すように本体６を前記躯体１の壁面装着したときは、水受け部支持部材３２が躯体の壁面１ａに設けられたシンク状排水管４に当接し、水受け部バネ３３が収縮し、本体６側に引き戻され、電源プラグ５と本体給電部１６が接続されるのを妨げない。
また、水受け槽３４に水が溜ったときは適宜捨てるようにする。
【００２９】
以上のように、本体排水口１５からの水垂れを水受け槽３４で受けることにより、水漏れを防止することができる。  
【００３０】
実施の形態５．
実施の形態４では、水受け槽３４に溜った水は、ユーザーが捨てていたが、本実施の形態は、水受け槽３４の水を自動で排水できるようにしたものである。
図１３はこの発明の実施の形態５を示す移動型食器洗浄乾燥機の本体を躯体に装着した状態の断面図である。図１３において、実施の形態４の図１１と同一または相当部分には同一の符号を付し説明を省略する。
支持部材軸３１に支持され、回転軸３６を有する水受け部支持部材３５が本体排水口１５の直下になるように設け、支持部材軸３１には水受け部支持部材３５を後部方向に常時付勢する水受け部バネ３３が巻装されている。そして、水受け部支持部材３５に水受け槽３４が回転自在に回転軸３６に支持されている。
【００３１】
この構成において、図１３に示すように、本体６を前記躯体１（壁面）に装着（接続）（移動）したとき、水受け槽３４の下方部が躯体の壁面１ａに設けられたシンク状排水管４に当接し、水受け槽３４が回転軸３６を中心に約９０°回転することにより、水受け槽３４に溜った水は、シンク状排水管４に捨てられる。このとき、水受け部バネ３３が収縮し、本体６側に引き戻され電源プラグ５と本体給電部１６が接続されるのを妨げない。
【００３２】
以上のように、本体を躯体へ装着することにより水受け槽３４内の水を自動で排水でき、かつ、水垂れを防止し、ユーザーの手間を解消できる。
【００３３】
実施の形態６．
図１４はこの発明の実施の形態６を示す移動型食器洗浄乾燥機の本体を躯体から引き出した状態の断面図、図１５は本体を躯体に装着した状態の断面図、図１６は本体６に設けられた回転排水口と回転機構の説明図であり、図１６（ａ）は本体を躯体か引き出した状態、図１６（ｂ）本体を躯体に装着した状態、図１６（ｃ）は図１６（ａ）の斜視図である。図１４〜１６において、実施の形態１の図２と同一または相当部分には同一の符号を付し説明を省略する。
本体排水口１５の先端に、回転自在に設けられ、外周にハス歯ギヤ３９を有し、先端がＬ字形状の先端に排水口３８ａを有する回転排水口３８と、回転自在に回転軸４２に支持されたハス歯ギヤ３９に歯合するハス歯ギヤを有するピニオンギヤ／ハス歯ギヤ４０と、ピニオンギヤ／ハス歯ギヤ４０のピニオンギヤに歯合するラック４１が設けられている。
【００３４】
この構成において、本体を躯体から引き出したときは、図１６（ａ）（ｃ）に示すように、本体排水口１５からの水垂れを回転排水口３８の排水口３８ａで受けることにより本体６外へのは水垂れを生じないように上向きとなっている。そして、本体６を躯体１の壁面装着したときは、図１６（ｂ）に示すように、ラック４１がシンク状排水管４に当接してラック４１が本体６側に移動するため、ピニオンギヤ／ハスバギヤ４０が回転し、回転排水口３８のハス歯ギヤ３９が回転し、回転排水口３８の排水口３８ａが下を向き、回転排水口３８の排水口３８ａ中にある残水及び運転中の回転排水口３８からの排水はシンク状排水管４に捨てられる。
【００３５】
以上のように、本体を躯体から引き出したときは回転排水口３８からの水の垂れを防止し、本体６を躯体１に装着したときは排水が行われるので、ユーザーの手間を解消できる。
【００３６】
実施の形態７．
実施の形態６では、本体排水口１５の先端に、回転排水口３８とを設けたものを示したが、本実施の形態は、本体排水口１５の先端に蓋を設けたものである。
図１７はこの発明の実施の形態７を示す移動型食器洗浄乾燥機の本体の本体排水口１５部分の構成説明図である。図１７（ａ）は本体を躯体から引き出した状態、図１７（ｂ）本体を躯体に装着した状態を示す。
図１７において、本体排水口１５の先端に、常時閉蓋バネ４６で閉じる向きに付勢され、蓋レバー４７を有する排水口蓋４５が設けられており、躯体１の壁面１ａにはレバー押圧凸部４８が設けられている。
【００３７】
この構成において、本体を躯体から引き出したときは、図１７（ａ）に示すように、本体排水口１５の先端は排水口蓋４５で閉じられており、本体６を躯体１の壁面装着したときは、図１７（ｂ）に示すように、蓋レバー４７が躯体１の壁面１ａに設けられたレバー押圧凸部４８に当接し、排水口蓋４５が開き、本体排水口１５に溜っていた水はシンク状排水管４に捨てられる。
【００３８】
以上のように、本体を躯体から引き出したときは本体排水口１５の先端を排水口蓋４５で閉じ、本体６を躯体１に装着したときは開くようにしたので、回転排水口３８に溜った水を自動で排水でき、ユーザーの手間を解消できる。
【００３９】
なお、排水口蓋４５にはパッキンを設けてもよい。また、実施の形態２〜７では、本体配水口１５に溜まった水を捨てる機構を示したが、本体１の洗浄槽１９から本体配水口１５に連通する配管を設け、食器乾燥時に本体配水口１５に加熱空気が流れるようにして水を蒸発させ、水垂れをなくしてもよい。また、ポンプ１４により加熱空気を本体配水口１５に流すようにしてもよい。排水口１５に溜った水を捨てなくてもよく、また、排水口１５及びシンク状配水管４を乾燥させ、カビの発生や、ゴミの付着を防ぐことができる。
【００４０】
実施の形態８．
図１８は本体を躯体に装着した状態の断面図、図１９はこの発明の実施の形態８を示す移動型食器洗浄乾燥機の本体を躯体か引き出した状態の断面図である。
図１８、１９において、実施の形態１の図２と同一または相当部分には同一の符号を付し説明を省略する。本体６の上部は開口し、本体６を躯体１内に装着したときに、本体上部の開口部枠２２をシールするシールパッキン５１が躯体１のワークトップ１ｃの下面に設けられている。
【００４１】
この構成において、図１８に示すように、本体を躯体に装着した状態では、本体上部の開口部枠２２は、躯体１のワークトップ１ｃのシールパッキン５１でシールされ、洗浄・すすぎ・乾燥工程において、洗浄槽からの水が本体外へ漏れることがない。本体６を躯体１から引き出したときは、図１９に示すように、本体６の上部は開口している。
【００４２】
以上のように、本体６の上壁が無く、天板を毎回開閉する手間が無く、食器の出し入れがしやすい。
【００４３】
実施の形態９．
本実施の形態は、本体を躯体内に装着して運転中に、躯体の壁面と本体が外れないようにするロック機構を設けたものである。
図２０は本体を躯体に装着したときに、躯体の壁面と本体が外れないようにするロック機構の説明図である。図２０（ａ）は本体を躯体に装着する途中状態の側面図、図２０（ｂ）は本体６が躯体１の壁面１ａにロックされた状態の側面図、図２０（ｃ）はロック機構の要部斜視図である。
図２０において、本体６の後部上面のコーナー部に本体ロックピン５５が設けられている。また、躯体１の側面１ｄの壁面１ｃ側にロックアーム部５８が設けられ、壁面１ａには閂５７を有する閂用ソレノイド５６が設けられている。ロックアーム部５８はアームベース５９と、このアームベース５９に回転自在に回転軸６０に取り付けられ、先端部に本体ロックピン５５に係合するラッチ部６１ａと、閂用ソレノイド５６の壁面１ａが挿入される閂孔６１ｂを有するバネラッチアーム６１と、一端がバネラッチアーム６１の先端部、他端がアームベース５９に係合するばね６２が設けられている。
【００４４】
この構成において、本体６を躯体１に近づけると、図２０（ｂ）に示すように本体６の本体ロックピン５５が、バネラッチアーム６１のラッチ部６１ａに係合され、さらに移動して、バネラッチアーム６１の閂孔６１ｂが閂用ソレノイド５６の閂５７の位置に達すると同時に壁面１ａの電源プラグ５に本体６の本体の本体給電部１６が接続され、運転を開始すると閂用ソレノイド５６に通電され、閂用ソレノイド５６が動作し、閂５７が閂孔６１ｂに挿入され、本体６が躯体１の壁面１ａにロックされる。そして、運転中はロックが継続される。
【００４５】
以上のように、運転中は壁面１ｃと本体６が外れないようにロック機構を設けたので、運転中の誤操作による本体の外れを防止し、安全性を向上させることができる。
【００４６】
実施の形態１０．
本実施の形態は、本体の背面の両側のコーナー部をＲ形状としたものである。図２１はこの発明の実施の形態１０を示す移動型食器洗浄乾燥機の本体の外観図である。
図２１において、本体６の背面の両側にＲ形状のコーナー部６５が設けられている。  
【００４７】
この構成において、Ｒ形状のコーナー部６５により、本体６を簡単に躯体に躯体１内に設置できる。とくに、設置時にガタついても簡単に挿入できる。
【００４８】
実施の形態１１．
図２２はこの発明の実施の形態１１を示す移動型食器洗浄乾燥機の本体を躯体１に装着した状態の断面図である。図において、実施の形態１の図２と同一または相当部分には同一の符号を付し説明を省略する。躯体１のは壁面１ａに、ユニット板７２の上部に電磁弁１０３を有する給水管１０２、電源プラグ１０５が一体に配設され、下部には、給水管１０２の略垂下位置に開口部を有するシンク排水管１０４が配設されたユニット部７１が据え付けられている。また、床面１ｂにユニット部７１と連結され、車輪７をガイドするガイドレール７３が据え付けられている。
【００４９】
この構成において、本体６が躯体１に移動するときは、本体給電部１６が壁面１ａに据付けられたユニット部７１の電源プラグ１０５に接続されるとともに、本体給水口１５が吸水管１０２の略垂下位置に、排水口１５がシンク状排水口１０４の直上になるように、車輪７がガイドレール７３にガイドされる。
【００５０】
以上のように、ユニット化により、設置工事が簡単にでき、ガイドレールにより、食洗機を簡単に躯体に設置できる。
【００５１】
実施の形態１２．
図２３はこの発明の実施の形態１２を示す移動型食器洗浄乾燥機の本体の外観図、図２４は本体を躯体に装着する途中状態の断面図、図２５は本体６が躯体１に装着された状態の断面図である。
図２３において、本体６の背面に、本体給水口１３及び本体排水口１５の位置する部分にそれぞれ給水扉８２及び排水口扉８３を有するカバー８１が設けられている。図２３、２４において、実施の形態１の図２と同一または相当部分には同一の符号を付し説明を省略する。
給水扉８２及び排水口扉８３は、例えば、観音開き形状である。
【００５２】
この構成において、本体６を躯体１にの壁面１ａから離れた状態では、図２３に示すように給水扉８２及び排水口扉８３は閉じているが、図２５に示すように、本体６が躯体１にの壁面１ａに接近したときは、給水扉８２及び排水口扉８３が自動的に開き、本体給電部１６が電源プラグ５に接続されるとともに、本体給水口１５が吸水管２の略垂下位置に、排水口１５がシンク状排水管４の直上に設置される。
【００５３】
以上のように、本体６を引き出した場合に、背面がフラットで、外観上の見栄えがよくなる。また、本体給水口１３、本体排水口１５、図１１の水受け槽３４に対して塵などによる汚れを防止し、さらに、外部との衝撃による本体側および外部側の損傷を防止することができる。
【００５４】
なお、カバー８１、または、給水扉８２及び排水口扉８３を電動式シャッターとしてもよい。
【００５５】
実施の形態１３．
図２６はこの発明の実施の形態１３を示す移動型食器洗浄乾燥機の本体の外観図、図２７は本体を躯体に装着、或いは引き出しをする途中状態の上面図である。
図２６において、前面カバー８を除く、本体背面および本体側面から突起し、樹脂材或いはゴムなどの弾性体からなるバンパー８５が設置され、本体を躯体との脱着時にはバンパー８５が躯体と接触する。
【００５６】
図２７のように本体を躯体に装着、或いは引き出しをする際に、軌道がまっすぐではないときには本体が接触するよりも前にバンパー８５が先に接触する。
【００５７】
以上のように、弾性体であるバンパー８５が先に接触するので本体と躯体（キッチン）が傷つくことを防ぐことができる。さらに、バンパー８５がガイドとして働くので軌道をまっすぐに修正でき、スムーズに装着することができる。
【図面の簡単な説明】
【００５８】
【図１】この発明の実施の形態１を示す移動型食器洗浄乾燥機の外観図である。
【図２】この発明の実施の形態１を示す移動型食器洗浄乾燥機と移動型食器洗浄乾燥機が収納される建築躯体の断面図である。
【図３】この発明の実施の形態１を示す移動型食器洗浄乾燥機洗浄工程及び水垂れ防止の説明図である。
【図４】この発明の実施の形態１を示す移動型食器洗浄乾燥機洗浄工程及び水垂れ防止の説明図である。
【図５】この発明の実施の形態１を示す移動型食器洗浄乾燥機洗浄工程及び水垂れ防止の説明図である。
【図６】この発明の実施の形態１を示す移動型食器洗浄乾燥機洗浄工程及び水垂れ防止の説明図である。
【図７】この発明の実施の形態１を示す移動型食器洗浄乾燥機洗浄工程及び水垂れ防止の説明図である。
【図８】この発明の実施の形態１を示す移動型食器洗浄乾燥機の使用状態の説明図である。
【図９】この発明の実施の形態２を示す移動型食器洗浄乾燥機の本体と躯体の断面図である。
【図１０】この発明の実施の形態３を示す移動型食器洗浄乾燥機の蛇腹押圧弁の構成と動作説明図である。
【図１１】この発明の実施の形態４を示す移動型食器洗浄乾燥機の本体を躯体か引き出した状態の断面図である。
【図１２】この発明の実施の形態４を示す移動型食器洗浄乾燥機の本体を躯体に装着した状態の断面図である。
【図１３】この発明の実施の形態５を示す移動型食器洗浄乾燥機の本体を躯体に装着した状態の断面図である。
【図１４】この発明の実施の形態６を示す移動型食器洗浄乾燥機の本体を躯体か引き出した状態の断面図である。
【図１５】この発明の実施の形態６を示す移動型食器洗浄乾燥機の本体を躯体に装着した状態の断面図である。
【図１６】この発明の実施の形態６を示す移動型食器洗浄乾燥機の本体に設けられた回転排水口と回転機構の説明図である。
【図１７】この発明の実施の形態７を示す移動型食器洗浄乾燥機の本体の本体排水口１５部分の構成説明図である。
【図１８】この発明の実施の形態８を示す移動型食器洗浄乾燥機の本体を躯体に装着した状態の断面図である。
【図１９】この発明の実施の形態８を示す移動型食器洗浄乾燥機の本体を躯体か引き出した状態の断面図である。
【図２０】この発明の実施の形態９を示す移動型食器洗浄乾燥機の本体を躯体に装着したときに、躯体の壁面と本体が外れないようにするロック機構の説明図である。
【図２１】この発明の実施の形態１０を示す移動型食器洗浄乾燥機の本体の外観図である。
【図２２】この発明の実施の形態１１を示す移動型食器洗浄乾燥機の本体を躯体に装着した状態の断面図である。
【図２３】この発明の実施の形態１２を示す移動型食器洗浄乾燥機の本体の外観図である。
【図２４】この発明の実施の形態１２を示す移動型食器洗浄乾燥機の本体を躯体に装着する途中状態の断面図である。
【図２５】この発明の実施の形態１２を示す移動型食器洗浄乾燥機の本体が躯体に装着された状態の断面図である。
【図２６】この発明の実施の形態１３を示す移動型食器洗浄乾燥機の本体の外観図である。
【図２７】この発明の実施の形態１３を示す移動型食器洗浄乾燥機の本体を躯体に装着する途中状態の上面図である。
【符号の説明】
【００５９】
１  躯体、１ａ  壁面、２  給水管、３  電磁弁、４  シンク状排水管、５  電源プラグ、６  本体、１０  通電ランプ、１１  ワ−クトップ台、１２  本体給水口、１３シャッター、１５  本体排水口、１６  本体給電部、２５  距離センサ、２６  蛇腹押圧弁、５１  シールパッキン、６５  コーナー部、７１  ユニット部、７３  ガイドレール、８１  カバー、８５  バンバー。
【図１】
2006043123.tif 000003
【図２】
2006043123.tif 000004
【図３】
2006043123.tif 000005
【図４】
2006043123.tif 000006
【図５】
2006043123.tif 000007
【図６】
2006043123.tif 000008
【図７】
2006043123.tif 000009
【図８】
2006043123.tif 000010
【図９】
2006043123.tif 000011
【図１０】
2006043123.tif 000012
【図１１】
2006043123.tif 000013
【図１２】
2006043123.tif 000014
【図１３】
2006043123.tif 000015
【図１４】
2006043123.tif 000016
【図１５】
2006043123.tif 000017
【図１６】
2006043123.tif 000018
【図１７】
2006043123.tif 000019
【図１８】
2006043123.tif 000020
【図１９】
2006043123.tif 000021
【図２０】
2006043123.tif 000022
【図２１】
2006043123.tif 000023
【図２２】
2006043123.tif 000024
【図２３】
2006043123.tif 000025
【図２４】
2006043123.tif 000026
【図２５】
2006043123.tif 000027
【図２６】
2006043123.tif 000028
【図２７】
2006043123.tif 000029